(57)【要約】【課題】活動自在な隔離足場を持つ放置タイプの発射周波の受信、発信装置の設計を提供する。【解決手段】放置タイプの発射周波の受信、発信装置１０の底部に、凹入部１０３を設ける。凹入部１０３の中に、非導電性の材料で作られる複数の支持足２０１Ａを配置する。各支持足２０１Ａと放置タイプの発射周波の受信、発信装置１０の連結部との間に、ひっくりかえし折り畳む構造２０２Ａを構成する。放置タイプの発射周波の受信、発信装置１０を高く架設するというひっくりかえし折り畳むタイプの活動自在な隔離足場２０Ａが形成される。自由に、位置方向の調整、収縮又は自由に着脱できる活動構造を配置することにより、活動自在な隔離足場を組成する。それで、放置タイプの発射周波の受信、発信装置１０を高く放置して、放置表面の導電性材料が受信、発信効果を干渉することを防ぐ。【選択図】    図３
2004179778.tif 000002
【特許請求の範囲】
【請求項１】
活動自在な隔離足場を持つ放置タイプの発射周波の受信、発信装置であって、発射周波の受信、発信装置には、非導電性材料で作られる活動自在な隔離足場を設置し、
活動自在な隔離足場には必要に応じて、自由に、調整、収縮又は伸展可能な活動構造を配置し、発射周波の受信、発信装置を高く架設して、放置表面の導電性材料の干渉を防ぐと共に、受信、発信の効果が格段に向上されることを特徴とする活動自在な隔離足場を持つ放置タイプの発射周波の受信、発信装置。
【請求項２】
活動自在な隔離足場の具体的な構造は、ひっくりかえし折り畳む形式、交叉レバー伸縮式、折り曲げアーム伸縮式、単一アーム伸縮式、垂直多段伸縮式、螺旋アップ、ダウン式、フレキシブル構造伸縮式、固定式、吊り式などが採用可能で、自由に、放置タイプの発射周波の受信、発信装置の高さを調整することが可能であることを特徴とする請求項１記載の活動自在な隔離足場を持つ放置タイプの発射周波の受信、発信装置。
【請求項３】
活動自在な隔離足場（２０Ａ）の構成は、放置タイプの発射周波の受信、発信装置（１０）の底部に、凹入部（１０３）を設け、凹入部（１０３）の中に、非導電性の材料で作られる複数の支持足（２０１Ａ）を配置し、各支持足（２０１Ａ）と放置タイプの発射周波の受信、発信装置（１０）の連結部との間に、ひっくりかえし折り畳む構造（２０２Ａ）を構成し、放置タイプの発射周波の受信、発信装置（１０）を高く架設するというひっくりかえし折り畳むタイプの活動自在な隔離足場（２０Ａ）が形成されることを特徴とする請求項１記載の活動自在な隔離足場を持つ放置タイプの発射周波の受信、発信装置。
【請求項４】
複数の支持足（２０１Ａ）は、放置タイプの発射周波の受信、発信装置（１０）の底部に折り畳んで収納され、排列される形状であり、
構造は特定の形状に限られず、複数の支持足（２０１Ａ）の排列として矩形の形状を採用し、あるいは複数の支持足（２０１Ａ）の排列が三角形の形状を採用し、また複数の支持足（２０１Ａ）の排列が特定規則ではない形状を採用し、
ひっくりかえし折り畳む形式の活動自在な隔離足場（２０Ａ）の支持足（２０１Ａ）は自由に引き伸ばして又は収縮の活動支持足（２０３Ａ）の採用も可能であり、前記ひっくりかえし折り畳む構造（２０２Ａ）に合わせて、放置タイプの発射周波の受信、発信装置（１０）を高く架設しているうちに、自由に、高さを調整し、受信、発信の効果を向上することを特徴とする請求項１記載の活動自在な隔離足場を持つ放置タイプの発射周波の受信、発信装置。
【請求項５】
隔離足場（２０Ｂ）の構成は、非導電材料により、ベース（２０１Ｂ）を形成し、ベース（２０１Ｂ）には、非導電材料によりつくられる所定数の連続交叉状の接続レバー（２０２Ｂ）を枢設し、さらに、最上部のレバー（２０２Ｂ）の上端を放置タイプの発射周波の受信、発信装置（１０）の底部に枢設し、交叉レバー（２０２Ｂ）で、放置タイプの発射周波の受信、発信装置（１０）を活動自在な隔離足場（２０Ｂ）に高さを自由に、調整し架設可能であり、放置表面の導電性材料が受信、発信を干渉することを防ぐ他に、高さを自由に調整することにより、受信、発信の効果が向上されることを特徴とする請求項１記載の活動自在な隔離足場を持つ放置タイプの発射周波の受信、発信装置。
【請求項６】
隔離足場（２０Ｃ）の構成は、非導電材料によりベース（２０１Ｃ）を形成し、ベース（２０１Ｃ）には、非導電材料でつくられる所定数の連続折り曲げアーム状の接続レバー（２０２Ｃ）を枢設し、さらに、最上部のレバー（２０２Ｃ）の上端を放置タイプの発射周波の受信、発信装置（１０）の底部に枢設し、
折り曲げアーム（２０２Ｃ）により、放置タイプの発射周波の受信、発信装置（１０）を活動自在な隔離足場（２０Ｃ）に高さを自由に調整し架設可能であり、放置表面の導電性材料が受信、発信を干渉することを防ぐ他に、高さを自由に調整することにより、受信、発信の効果が向上されることを特徴とする請求項１記載の活動自在な隔離足場を持つ放置タイプの発射周波の受信、発信装置。
【請求項７】
隔離足場（２０Ｄ）の構成は、非導電材料によりベース（２０１Ｄ）を形成し、ベース（２０１Ｄ）の上端表面の後方には、凹んだ収容部（２０２Ｄ）を設置し、その前端に、非導電材料により形成されるレバー（２０３Ｄ）を枢設し、
さらに、レバー（２０３Ｄ）の上端を放置タイプの発射周波の受信、発信装置（１０）の選定箇所に枢設し、単一アームのレバー（２０３Ｄ）により、放置タイプの発射周波の受信、発信装置（１０）を活動自在な隔離足場（２０Ｄ）に高さを自由に架設可能で、ひっくりかえして、回転、調整が可能であるため、放置表面の導電性材料が受信、発信を干渉することを防ぐ他に、高さを自由に調整することにより、受信、発信の効果が向上され、レバー（２０３Ｄ）を収縮するときに、放置タイプの発射周波の受信、発信装置（１０）はおりよくベース（２０１Ｄ）の収容部（２０２Ｄ）に位置決めされることを特徴とする請求項１記載の活動自在な隔離足場を持つ放置タイプの発射周波の受信、発信装置。
【請求項８】
隔離足場（２０Ｅ）の構成は、非導電材料によりベース（２０１Ｅ）を形成し、ベース（２０１Ｅ）の上端面に、非導電材料でつくられる所定数の中空筒（２０２Ｅ）を一つずつはめて接続するという垂直多段伸縮式の活動構造が設けられ、
さらに、最上部の中空筒（２０２Ｅ）の上端を放置タイプの発射周波の受信、発信装置（１０）の底部にセットし、多段伸縮式の中空筒（２０２Ｅ）で、放置タイプの発射周波の受信、発信装置（１０）を活動自在な隔離足場（２０Ｅ）に高さを自由に架設し、調整可能とし、放置表面の導電性材料が受信、発信を干渉することを防ぐ他に、高さを自由に調整することにより、受信、発信の効果が向上されることを特徴とする請求項１記載の活動自在な隔離足場を持つ放置タイプの発射周波の受信、発信装置。
【請求項９】
隔離足場（２０Ｆ）の構成は、非導電材料により、ベース（２０１Ｆ）を形成し、ベース（２０１Ｆ）の上端表面に、垂直方向の収容孔（２０２Ｆ）を配置し、
ベース（２０１Ｆ）の側に、開口溝（２０３Ｆ）が形成され、開口溝（２０３Ｆ）の中に、ナット（２０４Ｆ）を設置し、また、収容孔（２０２Ｆ）の中に、垂直方向に沿って、スクリュー（２０５Ｆ）を設置し、
スクリュー（２０５Ｆ）がナット（２０４Ｆ）をねじ込んで、下方の収容孔（２０２Ｆ）まで伸ばし、さらに、スクリュー（２０５Ｆ）の上端を放置タイプの発射周波の受信、発信装置（１０）に接続させ、
スクリュー（２０５Ｆ）及びナット（２０４Ｆ）により、放置タイプの発射周波の受信、発信装置（１０）を活動自在な隔離足場（２０Ｆ）に架設する高さを自由に、調整可能とし、放置表面の導電性材料が受信、発信を干渉することを防ぐ他に、高さを自由に調整することにより、受信、発信の効果が向上され、
螺旋アップ、ダウン式の活動自在な隔離足場の構造は、以上の示した構造形態に限られず、一本のスクリューで、ベースに螺合してもよいし、数本のベースに螺合してもよいし、必要に応じて、同等効果のほかの螺旋アップ、ダウン式の活動自在な隔離足場の構造形態が可能であることを特徴とする請求項１記載の活動自在な隔離足場を持つ放置タイプの発射周波の受信、発信装置。
【請求項１０】
隔離足場（２０Ｇ）の構成は、非導電材料によりベース（２０１Ｇ）を形成し、ベース（２０１Ｇ）の上端表面の後方には、放置タイプの発射周波の受信、発信装置（１０）を収容するために、凹入部（２０２Ｇ）を設置し、凹入部（２０２Ｇ）に、非導電材料により形成される蛇腹形状のフレキシブル構造のパイプ（２０３Ｇ）を設け、さらに、蛇腹形状のフレキシブル構造のパイプ（２０３Ｇ）の上端を放置タイプの発射周波の受信、発信装置（１０）の底部に接続させ、
蛇腹形状のフレキシブル構造のパイプ（２０３Ｇ）により、放置タイプの発射周波の受信、発信装置（１０）を活動自在な隔離足場（２０Ｇ）に高さを自由に調整、架設可能とし、放置表面の導電性材料が受信、発信を干渉することを防ぐ他に、高さを自由に調整することにより、受信、発信の効果が向上されることを特徴とする請求項１記載の活動自在な隔離足場を持つ放置タイプの発射周波の受信、発信装置。
【請求項１１】
隔離足場（２０Ｈ）の構成は、非導電材料により、台座の形状のみを形成し、台座の上端表面に、放置タイプの発射周波の受信、発信装置（１０）を収容、係止する凹入部（２０２Ｈ）を設け、凹入部（２０２Ｈ）の周囲に、所定数の切断溝（２０３Ｈ）を形成し、凹入部（２０２Ｈ）の周囲には所定数の弾性を有する係止薄片２０４Ｈを形成し、凹入部（２０２Ｈ）により、放置タイプの発射周波の受信、発信装置（１０）を収容、係止する活動自在な隔離足場（２０Ｈ）の構造が形成され、
放置タイプの発射周波の受信、発信装置（１０）を活動自在な隔離足場（２０Ｈ）に高さを自由に、調整、架設可能とし、放置表面の導電性材料が受信、発信を干渉することを防ぐ他に、受信、発信の効果が向上され、自由に着脱可能であることを特徴とする請求項１記載の活動自在な隔離足場を持つ放置タイプの発射周波の受信、発信装置。
【請求項１２】
隔離足場２０Ｉの構成は、非導電材料によりベース（２０１Ｉ）を形成し、ベース（２０１Ｉ）の先端に、一体化成型や枢設、接続方式や挿入、接続方式で、固定式又は折り曲げできる吊りアーム（２０２Ｉ）を形成し、
また、吊りアーム（２０２Ｉ）の上端に、ハンガーフック（２０３Ｉ）を設置し、放置タイプの発射周波の受信、発信装置（１０）を活動自在な隔離足場（２０Ｉ）に自由に高さを調整し架設可能とし、又は自由に掛ける高さを調整可能であるので、放置表面の導電性材料が受信、発信を干渉することを防ぐ他に、高さを自由に調整することにより、受信、発信の効果が向上されることを特徴とする請求項１記載の活動自在な隔離足場を持つ放置タイプの発射周波の受信、発信装置。
【発明の詳細な説明】
【０００１】
【発明の属する技術分野】
本発明は、活動自在な隔離足場を持つ放置タイプの発射周波の受信、発信装置に関する。
【０００２】
【従来の技術】
従来の発射周波を伝送する、ワイヤレス（ｗｉｒｅ  ｌｅｓｓ）ワンウエイ又はツーウエイの伝統の情報や周辺装置は通常、図１及び図２に示すように、放置タイプの発射周波の受信、発信装置１００を設ける。
【０００３】
【発明が解決しようとする課題】
しかしながら、放置の地方及び放置表面の材料が導電性を具有するかどうかなどの要因で、例えば図１に示すの放置表面２００は導電性材料を採用し、図２に示すの放置表面３００は非導電性材料を採用すると、常に干渉を招いて、放置タイプの発射周波の受信、発信装置１００の受信、発信の効果に影響を及ぼす。
したがって、本案の主な目的は活動自在な隔離足場を持つ放置タイプの発射周波の受信、発信装置を提供することにある。
【０００４】
【課題を解決するための手段】
上述の目的を達成するために、本発明の請求項１に記載の活動自在な隔離足場を持つ放置タイプの発射周波の受信、発信装置は、活動自在な隔離足場を持つ放置タイプの発射周波の受信、発信装置であって、発射周波の受信、発信装置には、非導電性材料で作られる活動自在な隔離足場を設置する。
【０００５】
活動自在な隔離足場には必要に応じて、自由に、調整、収縮又は伸展可能な活動構造を配置し、発射周波の受信、発信装置を高く架設して、放置表面の導電性材料の干渉を防ぐと共に、受信、発信の効果も格段に向上可能である。
本発明の請求項２に記載の活動自在な隔離足場を持つ放置タイプの発射周波の受信、発信装置は、活動自在な隔離足場の具体的な構造は、ひっくりかえし折り畳む形式、交叉レバー伸縮式、折り曲げアーム伸縮式、単一アーム伸縮式、垂直多段伸縮式、螺旋アップ、ダウン式、フレキシブル構造伸縮式、固定式、吊り式などが採用可能である。自由に、放置タイプの発射周波の受信、発信装置の高さを調整することが可能である。
【０００６】
本発明の請求項３に記載の活動自在な隔離足場を持つ放置タイプの発射周波の受信、発信装置は、活動自在な隔離足場２０Ａの構成は、放置タイプの発射周波の受信、発信装置１０の底部に、凹入部１０３を設ける。凹入部１０３の中に、非導電性の材料で作られる複数の支持足２０１Ａを配置する。各支持足２０１Ａと放置タイプの発射周波の受信、発信装置１０の連結部との間に、ひっくりかえし折り畳む構造２０２Ａを構成する。放置タイプの発射周波の受信、発信装置１０を高く架設するというひっくりかえし折り畳むタイプの活動自在な隔離足場２０Ａが形成される。
【０００７】
本発明の請求項４に記載の活動自在な隔離足場を持つ放置タイプの発射周波の受信、発信装置は、複数の支持足２０１Ａは、放置タイプの発射周波の受信、発信装置１０の底部に折り畳んで収納され、排列される形状である。
構造は特定の形状に限られず、例えば複数の支持足２０１Ａの排列として矩形の形状を採用し、あるいは複数の支持足２０１Ａの排列が三角形の形状を採用し、また複数の支持足２０１Ａの排列が特定規則ではない形状を採用しても、皆変化できる実施の設計実例である。ひっくりかえし折り畳む形式の活動自在な隔離足場２０Ａの支持足２０１Ａは自由に引き伸ばして又は収縮の活動支持足２０３Ａの採用も可能である。ひっくりかえし折り畳む構造２０２Ａに合わせて、放置タイプの発射周波の受信、発信装置１０を高く架設しているうちに、自由に、高さを調整し、受信、発信の効果を向上可能である。
【０００８】
本発明の請求項５に記載の活動自在な隔離足場を持つ放置タイプの発射周波の受信、発信装置は、隔離足場２０Ｂの構成は、非導電材料により、ベース２０１Ｂを形成する。ベース２０１Ｂには、非導電材料によりつくられる、所定数の連続交叉状の接続レバー２０２Ｂを枢設する。さらに、最上部のレバー２０２Ｂの上端を放置タイプの発射周波の受信、発信装置１０の底部に枢設する。交叉レバー２０２Ｂで、放置タイプの発射周波の受信、発信装置１０を活動自在な隔離足場２０Ｂに高さを自由に、調整し架設可能である。放置表面の導電性材料が受信、発信を干渉することを防ぐ他に、高さを自由に調整することにより、受信、発信の効果も向上可能である。
【０００９】
本発明の請求項６に記載の活動自在な隔離足場を持つ放置タイプの発射周波の受信、発信装置は、隔離足場２０Ｃの構成は、非導電材料によりベース２０１Ｃを形成する。ベース２０１Ｃには、非導電材料でつくられる、所定数の連続折り曲げアーム状の接続レバー２０２Ｃを枢設し、さらに、最上部のレバー２０２Ｃの上端を放置タイプの発射周波の受信、発信装置１０の底部に枢設する。
【００１０】
折り曲げアーム２０２Ｃにより、放置タイプの発射周波の受信、発信装置１０を活動自在な隔離足場２０Ｃに高さを自由に調整し架設可能である。放置表面の導電性材料が受信、発信を干渉することを防ぐ他に、高さを自由に調整することにより、受信、発信の効果も向上可能である。
【００１１】
本発明の請求項７に記載の活動自在な隔離足場を持つ放置タイプの発射周波の受信、発信装置は、隔離足場２０Ｄの構成は、非導電材料によりベース２０１Ｄを形成する。ベース２０１Ｄの上端表面の後方には、凹んだ収容部２０２Ｄを設置し、その前端に、非導電材料により形成されるレバー２０３Ｄを枢設する。
【００１２】
さらに、レバー２０３Ｄの上端を放置タイプの発射周波の受信、発信装置１０の選定箇所に枢設する。単一アームのレバー２０３Ｄにより、放置タイプの発射周波の受信、発信装置１０を活動自在な隔離足場２０Ｄに高さを自由に架設可能である。ひっくりかえして、回転、調整が可能であるため、放置表面の導電性材料が受信、発信を干渉することを防ぐ他に、高さを自由に調整することにより、受信、発信の効果も向上される。レバー２０３Ｄを収縮するときに、放置タイプの発射周波の受信、発信装置１０はおりよくベース２０１Ｄの収容部２０２Ｄに位置決めされる。
【００１３】
本発明の請求項８に記載の活動自在な隔離足場を持つ放置タイプの発射周波の受信、発信装置は、隔離足場２０Ｅの構成は、非導電材料によりベース２０１Ｅを形成する。ベース２０１Ｅの上端面に、非導電材料でつくられる所定数の中空筒２０２Ｅを一つずつはめて接続するという垂直多段伸縮式の活動構造が設けられる。
【００１４】
さらに、最上部の中空筒２０２Ｅの上端を放置タイプの発射周波の受信、発信装置１０の底部にセットし、多段伸縮式の中空筒２０２Ｅで、放置タイプの発射周波の受信、発信装置１０を活動自在な隔離足場２０Ｅに高さを自由に架設し、調整可能とする。放置表面の導電性材料が受信、発信を干渉することを防ぐ他に、高さを自由に調整することにより、受信、発信の効果も向上される。
【００１５】
本発明の請求項９に記載の活動自在な隔離足場を持つ放置タイプの発射周波の受信、発信装置は、隔離足場２０Ｆの構成は、非導電材料により、ベース２０１Ｆを形成し、ベース２０１Ｆの上端表面に、垂直方向の収容孔２０２Ｆを配置する。
【００１６】
ベース２０１Ｆの側に、開口溝２０３Ｆが形成され、開口溝２０３Ｆの中に、ナット２０４Ｆを設置し、また、収容孔２０２Ｆの中に、垂直方向に沿って、スクリュー２０５Ｆを設置する。
スクリュー２０５Ｆがナット２０４Ｆをねじ込んで、下方の収容孔２０２Ｆまで伸ばし、さらに、スクリュー２０５Ｆの上端を放置タイプの発射周波の受信、発信装置１０に接続させる。
【００１７】
スクリュー２０５Ｆ及びナット２０４Ｆにより、放置タイプの発射周波の受信、発信装置１０を活動自在な隔離足場２０Ｆに架設する高さを自由に、調整可能とする。放置表面の導電性材料が受信、発信を干渉することを防ぐ他に、高さを自由に調整することにより、受信、発信の効果も向上される。しかしながら螺旋アップ、ダウン式の活動自在な隔離足場の構造は以上の示した構造形態に限られず、例えば、一本のスクリューで、ベースに螺合してもよいし、数本のベースに螺合も可能であり、必要に応じて、同等効果のほかの螺旋アップ、ダウン式の活動自在な隔離足場の構造形態が可能である。
【００１８】
本発明の請求項１０に記載の活動自在な隔離足場を持つ放置タイプの発射周波の受信、発信装置は、隔離足場２０Ｇの構成は、非導電材料によりベース２０１Ｇを形成する。ベース２０１Ｇの上端表面の後方には、放置タイプの発射周波の受信、発信装置１０を収容するために、凹入部２０２Ｇを設置し、凹入部２０２Ｇに、非導電材料により形成される、蛇腹形状のフレキシブル構造のパイプ２０３Ｇを設ける。さらに、蛇腹形状のフレキシブル構造のパイプ２０３Ｇの上端を放置タイプの発射周波の受信、発信装置１０の底部に接続させる。
【００１９】
蛇腹形状のフレキシブル構造のパイプ２０３Ｇにより、放置タイプの発射周波の受信、発信装置１０を活動自在な隔離足場２０Ｇに高さを自由に調整、架設可能とする。放置表面の導電性材料が受信、発信を干渉することを防ぐ他に、高さを自由に調整することにより、受信、発信の効果も向上される。
【００２０】
本発明の請求項１１に記載の活動自在な隔離足場を持つ放置タイプの発射周波の受信、発信装置は、隔離足場２０Ｈの構成は、非導電材料により、台座の形状のみを形成し、台座の上端表面に、放置タイプの発射周波の受信、発信装置１０を収容、係止する凹入部２０２Ｈを設ける。凹入部２０２Ｈの周囲に、所定数の切断溝２０３Ｈを形成し、凹入部２０２Ｈの周囲には所定数の弾性を有する係止薄片２０４Ｈを形成する。凹入部２０２Ｈにより、放置タイプの発射周波の受信、発信装置１０を収容、係止する活動自在な隔離足場２０Ｈの構造が形成される。
【００２１】
放置タイプの発射周波の受信、発信装置１０を活動自在な隔離足場２０Ｈに高さを自由に、調整、架設可能とし、放置表面の導電性材料が受信、発信を干渉することを防ぐ他に、受信、発信の効果も向上され、自由に着脱も応用できる。
本発明の請求項１２に記載の活動自在な隔離足場を持つ放置タイプの発射周波の受信、発信装置は、隔離足場２０Ｉの構成は、非導電材料によりベース２０１Ｉを形成し、ベース２０１Ｉの先端に、一体化成型や枢設、接続方式や挿入、接続方式で、固定式又は折り曲げできる吊りアーム２０２Ｉを形成する。
【００２２】
また、吊りアーム２０２Ｉの上端に、ハンガーフック２０３Ｉを設置し、放置タイプの発射周波の受信、発信装置１０を活動自在な隔離足場２０Ｉに自由に高さを調整し架設可能とする。自由に掛ける高さを調整することができるので、放置表面の導電性材料が受信、発信を干渉することを防ぐ他に、高さを自由に調整することにより、受信、発信の効果も向上される。
【００２３】
【発明の実施の形態】
以下、本発明の実施例を図面に基づいて説明する。
本発明の実施例は活動自在な隔離足場を持つ放置タイプの発射周波の受信、発信装置に関する設計であり、主に、  放置タイプの発射周波の受信、発信装置１０及び活動自在な隔離足場など要素から形成される。
【００２４】
放置タイプの発射周波の受信、発信装置１０は発射周波を伝送することで、ワイヤレス（ｗｉｒｅ  ｌｅｓｓ）ワンウエイ又はツーウエイの情報や周辺装置などの伝送用の放置タイプの発射周波の受信、発信装置１０１を提供する。その内部に、発射周波の受信、発信回路装置を設置するが、その外部に、非導電性の材料で、放置用の殻体１０２を構成する。それで、ワンウエイ又はツーウエイのように、受信、発信できる放置タイプの発射周波の受信、発信装置を形成する。
【００２５】
活動自在な隔離足場は放置タイプの発射周波の受信、発信装置１０の下部に配置される足場である。主に、非導電性の材料から作られる。しかも、自由に、位置方向の調整、収縮又は自由に着脱できる活動構造を配置することにより、活動自在な隔離足場を組成する。それで、放置タイプの発射周波の受信、発信装置１０を高く放置して、放置表面の導電性材料が受信、発信効果を干渉することを防ぐ。
【００２６】
図３、図４は、本発明の実施例によるひっくりかえし折り畳むタイプの活動自在な隔離足場を示す説明図である。活動自在な隔離足場２０Ａは、放置タイプの発射周波の受信、発信装置１０の底部に、凹入部１０３を設ける。凹入部１０３の中に、非導電性の材料で作られる複数の支持足２０１Ａを配置する。各支持足２０１Ａと放置タイプの発射周波の受信、発信装置１０の連結部との間に、ひっくりかえし折り畳む構造２０２Ａを構成する。放置タイプの発射周波の受信、発信装置１０を高く架設するというひっくりかえし折り畳むタイプの活動自在な隔離足場２０Ａが形成される。
【００２７】
この形状は、図５、図６に示すように、複数の支持足２０１Ａが収納のために、放置タイプの発射周波の受信、発信装置１０の底部に折り畳んで、排列されるという形状、構造は特定の形状に限られない。例えば、複数の支持足２０１Ａの排列が矩形の形状を採用し、複数の支持足２０１Ａの排列が三角形の形状を採用し、複数の支持足２０１Ａの排列が特定規則ではない形状を採用しても、皆変化できる実施の設計案例である。
【００２８】
図７、図８に示すように、本実施例によるひっくりかえし折り畳むタイプの活動自在な隔離足場２０Ａの支持足２０１Ａは自由に引き伸ばして又は収縮の活動支持足２０３Ａを採用することも可能である。上述のひっくりかえし折り畳む構造２０２Ａに合わせて、放置タイプの発射周波の受信、発信装置１０を高く架設しているうちに、自由に、高さを調整することができ、受信、発信の効果を向上させる。
【００２９】
図９、図１０は本発明の実施例による交叉レバー伸縮式の活動自在な隔離足場を示す説明図である。隔離足場２０Ｂは非導電材料で、ベース２０１Ｂを作る。ベース２０１Ｂには、非導電材料でつくられる、数本の連続交叉状の接続レバー２０２Ｂを枢設する。しかも、最上部のレバー２０２Ｂの上端を放置タイプの発射周波の受信、発信装置１０の底部に枢設する。この交叉レバー２０２Ｂで、放置タイプの発射周波の受信、発信装置１０を活動自在な隔離足場２０Ｂに架設する高さを自由に、調整可能であり、放置表面の導電性材料が受信、発信を干渉することを防ぐ他に、高さを自由に調整することにより、受信、発信の効果も向上される。
【００３０】
図１１、図１２は本発明の実施例による折り曲げアーム伸縮式の活動自在な隔離足場を示す説明図である。隔離足場２０Ｃは非導電材料で、ベース２０１Ｃを作る。ベース２０１Ｃには、非導電材料でつくられる、数本の連続折り曲げアーム状の接続レバー２０２Ｃを枢設する。しかも、最上部のレバー２０２Ｃの上端を放置タイプの発射周波の受信、発信装置１０の底部に枢設する。この折り曲げアーム２０２Ｃで、放置タイプの発射周波の受信、発信装置１０を活動自在な隔離足場２０Ｃに架設する高さを自由に、調整することができるので、放置表面の導電性材料が受信、発信を干渉することを防ぐ他に、高さを自由に調整することにより、受信、発信の効果も向上される。
【００３１】
図１３、図１４は本発明の実施例による単一アーム伸縮式の活動自在な隔離足場の構造を示す説明図である。
図１５は単一アーム伸縮式の活動自在な隔離足場の動作を示す説明図である。この隔離足場２０Ｄは非導電材料で、ベース２０１Ｄを作る。ベース２０１Ｄの上端表面の後方には、凹んだ収容部２０２Ｄを設置する。その前端に、非導電材料でつくられるレバー２０３Ｄを枢設する。しかも、レバー２０３Ｄの上端を放置タイプの発射周波の受信、発信装置１０の選定箇所に枢設する。この単一アームのレバー２０３Ｄで、放置タイプの発射周波の受信、発信装置１０を活動自在な隔離足場２０Ｄに架設する高さを自由に、ひっくりかえして、回転、調整することが可能であり、放置表面の導電性材料が受信、発信を干渉することを防ぐ他に、高さを自由に調整することにより、受信、発信の効果も向上される。なお、レバー２０３Ｄを収縮するときに、放置タイプの発射周波の受信、発信装置１０はおりよくベース２０１Ｄの収容部２０２Ｄに位置決めされる。
【００３２】
図１６は本発明の実施例による垂直多段伸縮式の活動自在な隔離足場の構造を示す説明図である。隔離足場２０Ｅは非導電材料で、ベース２０１Ｅを作る。ベース２０１Ｅの上端面に、非導電材料でつくられる複数の中空筒２０２Ｅを一つずつはめて接続するという垂直多段伸縮式の活動構造が設けられる。しかも、最上部の中空筒２０２Ｅの上端を放置タイプの発射周波の受信、発信装置１０の底部にセットする。そんな組成の多段伸縮式の中空筒２０２Ｅで、放置タイプの発射周波の受信、発信装置１０を活動自在な隔離足場２０Ｅに架設する高さを自由に、調整することができるので、放置表面の導電性材料が受信、発信を干渉することを防ぐ他に、高さを自由に調整することにより、受信、発信の効果も向上される。
【００３３】
図１７は本発明の実施例による螺旋アップ、ダウン式の活動自在な隔離足場の構造を示す説明図である。隔離足場２０Ｆの構成も非導電材料で、ベース２０１Ｆを作る。ベース２０１Ｆの上端表面に、垂直方向の収容孔２０２Ｆを配置する。ベース２０１Ｆの側に、開口溝２０３Ｆが加工される。開口溝２０３Ｆの中に、ナット２０４Ｆを設置する。また、収容孔２０２Ｆの中に、垂直方向に沿って、スクリュー２０５Ｆを備わる。スクリュー２０５Ｆがナット２０４Ｆをねじ込んで、下方の収容孔２０２Ｆまで伸ばされる。しかも、スクリュー２０５Ｆの上端を放置タイプの発射周波の受信、発信装置１０に接続させる。そんな組成のスクリュー２０５Ｆ及びナット２０４Ｆで、放置タイプの発射周波の受信、発信装置１０を活動自在な隔離足場２０Ｆに架設する高さを自由に、調整することが可能であり、放置表面の導電性材料が受信、発信を干渉することを防ぐ他に、高さを自由に調整することにより、受信、発信の効果も向上される。しかしながら、本案の螺旋アップ、ダウン式の活動自在な隔離足場の構造は以上の示した構造形態に限られない。例えば、一本のスクリューで、ベースに螺合してもよいし、数本のベースに螺合してもよい。本案の具体的な必要に応じて、同等効果のほかの螺旋アップ、ダウン式の活動自在な隔離足場の構造形態が可能だと分かる。
【００３４】
図１８は本発明の実施例によるフレキシブル構造の伸縮式の活動自在な隔離足場の構造を示す説明図である。隔離足場２０Ｇの構成は非導電材料で、ベース２０１Ｇを作る。ベース２０１Ｇの上端表面の後方には、放置タイプの発射周波の受信、発信装置１０を収容するために、凹入部２０２Ｇを設置する。凹入部２０２Ｇに、非導電材料でつくられる、蛇腹形状のフレキシブル構造のパイプ２０３Ｇを設ける。しかも、蛇腹形状のフレキシブル構造のパイプ２０３Ｇの上端を放置タイプの発射周波の受信、発信装置１０の底部に接続させる。この蛇腹形状のフレキシブル構造のパイプ２０３Ｇで、放置タイプの発射周波の受信、発信装置１０を活動自在な隔離足場２０Ｇに架設する高さを自由に、調整することができるので、放置表面の導電性材料が受信、発信を干渉することを防ぐ他に、高さを自由に調整することにより、受信、発信の効果も向上される。
【００３５】
図１９、図２０は本発明の実施例による固定式の活動自在な隔離足場の構造を示す説明図である。隔離足場２０Ｈの構成はただ、非導電材料で、台座の形状だけを作る。台座の上端表面に、放置タイプの発射周波の受信、発信装置１０を収容、係止する凹入部２０２Ｈを設ける。凹入部２０２Ｈの周囲に、幾つの切断溝２０３Ｈを加工するので、凹入部２０２Ｈの周囲は数枚の弾性の係止薄片２０４Ｈを形成する。この凹入部２０２Ｈで、放置タイプの発射周波の受信、発信装置１０を収容、係止する活動自在な隔離足場２０Ｈの構造が形成される。それで、放置タイプの発射周波の受信、発信装置１０を活動自在な隔離足場２０Ｈに架設する高さを自由に、調整可能であり、放置表面の導電性材料が受信、発信を干渉することを防ぐ他に、受信、発信の効果も向上され、自由に着脱も応用できる。
【００３６】
図２１、図２２は本発明の実施例による吊りタイプの活動自在な隔離足場の構造を示す説明図である。隔離足場２０Ｉの構成は非導電材料で、ベース２０１Ｉを作る。ベース２０１Ｉの先端に、一体化成型や枢設、接続方式や挿入、接続方式で、固定式又は折り曲げできる吊りアーム２０２Ｉを形成する。また、吊りアーム２０２Ｉの上端に、ハンガーフック２０３Ｉを設置する。この組成で、放置タイプの発射周波の受信、発信装置１０を活動自在な隔離足場２０Ｉに架設する高さを自由に、調整可能であり、又は自由に掛ける高さを調整することができるので、放置表面の導電性材料が受信、発信を干渉することを防ぐ他に、高さを自由に調整することにより、受信、発信の効果も向上される。
【００３７】
上述の内容をまとめると、本発明の実施例の活動自在な隔離足場を持つ放置タイプの発射周波の受信、発信装置という設計は高さが活動自在に調整できる足場で、放置タイプの発射周波の受信、発信装置を放置するので、放置表面の材料の影響を受けない。
【００３８】
【発明の効果】
活動自在な隔離足場を持つ放置タイプの発射周波の受信、発信装置の設計を提供する本発明は、主に、発射周波の受信、発信装置には、非導電性材料で作られる活動自在な隔離足場を設置する。また、活動自在な隔離足場は必要に応じて、自由に、調整、収縮又は伸展できる活動構造を配置するので、発射周波の受信、発信装置を高く架設して、放置表面の導電性材料の干渉を防ぐと共に、受信、発信の効果も格段に向上される。
【００３９】
また、本発明において活動自在な隔離足場の具体的な構造はひっくりかえし折り畳むタイプ、交叉レバー伸縮式、折り曲げアーム伸縮式、単一アーム伸縮式、垂直多段伸縮式、螺旋アップ、ダウン式、フレキシブル構造伸縮式、固定式、吊り式など活動自在な隔離足場の構造があって、自由に、  放置タイプの発射周波の受信、発信装置の高さを調整することができる。
【図面の簡単な説明】
【図１】従来の放置タイプの受信、発信装置を導電性の表面に放置することを示す説明図である。
【図２】従来の放置タイプの受信、発信装置を非導電性の表面に放置することを示す説明図である。
【図３】本発明の実施例によるひっくりかえし折り畳むタイプの活動自在な隔離足場の収納状態を示す説明図である。
【図４】本発明の実施例によるひっくりかえし折り畳むタイプの活動自在な隔離足場の展開状態を示す説明図である。
【図５】本発明の実施例によるひっくりかえし折り畳むタイプの活動自在な隔離足場の収納、排列状態を示す説明図である。
【図６】本発明の実施例によるひっくりかえし折り畳むタイプの活動自在な隔離足場のもう一つ収納、排列状態を示す説明図である。
【図７】本発明の実施例による伸縮できるひっくりかえし折り畳むタイプの活動自在な隔離足場の収納状態を示す説明図である。
【図８】本発明の実施例による伸縮できるひっくりかえし折り畳むタイプの活動自在な隔離足場の展開状態を示す説明図である。
【図９】本発明の実施例による交叉レバー伸縮式の活動自在な隔離足場の側視及び調整動作を示す説明図である。
【図１０】本発明の実施例による交叉レバー伸縮式の活動自在な隔離足場のエンド  ビューを示す説明図である。
【図１１】本発明の実施例による折り曲げアーム伸縮式の活動自在な隔離足場の側視及び調整動作を示す説明図である。
【図１２】本発明の実施例による折り曲げアーム伸縮式の活動自在な隔離足場のエンド  ビュー及び調整動作を示す説明図である。
【図１３】本発明の実施例による単一アーム伸縮式の活動自在な隔離足場の側視を示す説明図である。
【図１４】本発明の実施例による単一アーム伸縮式の活動自在な隔離足場の上視を示す説明図である。
【図１５】本発明の実施例による単一アーム伸縮式の活動自在な隔離足場の調整動作を示す説明図である。
【図１６】本発明の実施例による垂直多段伸縮式の活動自在な隔離足場の構造を示す説明図である。
【図１７】本発明の実施例による螺旋アップ、ダゥン式の活動自在な隔離足場の構造を示す説明図である。
【図１８】本発明の実施例によるフレキシブル構造伸縮式の活動自在な隔離足場の構造を示す説明図である。
【図１９】本発明の実施例による固定式の活動自在な隔離足場の構造の側視を示す説明図である。
【図２０】本発明の実施例による固定式の活動自在な隔離足場の構造の上視を示す説明図である。
【図２１】本発明の実施例による吊り式の活動自在な隔離足場の構造の側視を示す説明図である。
【図２２】本発明の実施例による吊り式の活動自在な隔離足場の構造のエンドビューを示す説明図である。
【符号の説明】
１０    放置タイプの発射周波の受信、発信装置
２０Ａ  活動自在な隔離足場
１０１    受信、発信の回路装置
１０２    殻体
１０３    凹入部
２０１Ａ  支持足
２０１Ｂ  ベース
２０２Ａ  ひっくりかえし折り畳む構造
２０２Ｂ  レバー
２０２Ｄ  収容部
２０２Ｅ  中空筒
２０２Ｆ  収容孔
２０２Ｇ  凹入部
２０２Ｈ  凹入部
２０２Ｉ  吊りアーム
２０３Ａ  支持足
２０３Ｆ  開口溝
２０３Ｇ  蛇腹形状のフレキシブル構造のパイプ
２０３Ｈ  切断溝
２０３Ｉ  ハンガーフック
２０４Ｆ  ナット
２０４Ｈ  弾性係止薄片
２０５Ｆ  スクリュー
【図１】
2004179778.tif 000003
【図２】
2004179778.tif 000004
【図３】
2004179778.tif 000005
【図４】
2004179778.tif 000006
【図５】
2004179778.tif 000007
【図６】
2004179778.tif 000008
【図７】
2004179778.tif 000009
【図８】
2004179778.tif 000010
【図９】
2004179778.tif 000011
【図１０】
2004179778.tif 000012
【図１１】
2004179778.tif 000013
【図１２】
2004179778.tif 000014
【図１３】
2004179778.tif 000015
【図１４】
2004179778.tif 000016
【図１５】
2004179778.tif 000017
【図１６】
2004179778.tif 000018
【図１７】
2004179778.tif 000019
【図１８】
2004179778.tif 000020
【図１９】
2004179778.tif 000021
【図２０】
2004179778.tif 000022
【図２１】
2004179778.tif 000023
【図２２】
2004179778.tif 000024